(57)【要約】【課題】簡便に尿による床汚れを防止することを目的とする。【解決手段】尿受け具であって、尿を受ける尿受け部と、上方が開口し便器正面に張り出した位置に配置される使用状態と、前記使用状態とは異なる位置に配置される待機状態とに変更可能に前記尿受け部を支持する基部と、前記尿受け部の位置を変更するよう駆動する駆動部と、を有する。【選択図】図１
2020169495.tif 000002
【特許請求の範囲】
【請求項１】
尿を受ける尿受け部と、
上方が開口し便器正面に張り出した位置に配置される使用状態と、前記使用状態とは異なる位置に配置される待機状態とに変更可能に前記尿受け部を支持する基部と、
前記尿受け部の位置を変更するよう駆動する駆動部と、を有する、尿受け具。
【請求項２】
請求項１に記載の尿受け具であって、
前記駆動部は、対象者の荷重を受ける踏み板と、前記踏み板の受ける前記荷重を前記尿受け部に伝達する伝達部材とを有し、
前記尿受け部は、前記踏み板から荷重の伝達を受けると位置が前記使用状態に変化する、尿受け具。
【請求項３】
請求項２に記載の尿受け具であって、
前記駆動部は、前記荷重を用いて伸縮するシリンダを前記伝達部材として前記尿受け部を駆動する、尿受け具。
【請求項４】
請求項３に記載の尿受け具であって、
前記尿受け部は、前後方向に延在する長穴が側面に形成され、前記シリンダの先端が、伸縮開始時に前記長穴を移動することにより、前記荷重を受けたタイミングから遅延して位置が変化する、尿受け具。
【請求項５】
請求項１から４のいずれか一項に記載の尿受け具であって、
前記基部は、便器の左右方向の軸周りに回動して位置が変化するよう前記尿受け部を軸支するとともに、回動速度を制御する速度制御機構を有する、尿受け具。
【請求項６】
請求項１から５のいずれか一項に記載の尿受け具であって、
前記尿受け部は、前記使用状態において小便器のリップ部又は洋式便器の便鉢縁に隣り合う位置に配置される、尿受け具。
【請求項７】
請求項１から６のいずれか一項に記載の尿受け具であって、
前記基部は、洋式便器の便鉢縁に係止して設置されるか、又は便器近傍の床面に設置される、尿受け具。
【請求項８】
請求項１に記載の尿受け具であって、
前記駆動部は、洋式便器の蓋の開閉による駆動力を前記尿受け部に伝達し、
前記尿受け部は、前記駆動力により前記待機状態から前記使用状態へと変化する、尿受け具。
【請求項９】
請求項１に記載の尿受け具であって、
センサーを用いて対象者を検知する検知部を有し、
前記駆動部は、前記検知部が前記対象者を検知すると、モーターを用いて前記尿受け部を回動させて位置を前記使用状態に変化させる、尿受け具。
【発明の詳細な説明】
【技術分野】
【０００１】
本発明は、尿受け具に関する。
【背景技術】
【０００２】
特許文献１には、洋式便器に関する技術が開示されている。同文献の実施例中、段落［００１０］において、「洋風便器１は、さらに、尿受１０と、駆動手段と、検知手段２２と、制御手段２３と、を備えている。」と記載され、段落［００１５］において、「尿受１０は、尿受面１４を上方に向け、かつその後側を下方に傾けた姿勢で、後述する駆動手段に取り付けられている。そして、駆動手段により、便器本体２に対して収納された状態、又は出っ張った状態に設けられる。」と記載されている。
【先行技術文献】
【特許文献】
【０００３】
【特許文献１】特開２０１６−２０９０８３号公報
【発明の概要】
【発明が解決しようとする課題】
【０００４】
一般に男性が立って用を足す場合に、尿が飛散したり、勢いを失った尿が便器の外に垂れ落ちたりして、床部分を汚すことがある。
【０００５】
特許文献１に記載された技術では、尿受けが洋式便器に内蔵されているため、尿受けを設置するために便器全体を交換する必要があり、経済的及び時間的コストが増大する。
【０００６】
本発明は、上記の点に鑑みてなされたものであって、簡便に尿による床汚れを防止することを目的とする。
【課題を解決するための手段】
【０００７】
そこで上記課題を解決するため、本発明の一態様に係る尿受け具は、尿を受ける尿受け部と、上方が開口し便器正面に張り出した位置に配置される使用状態と、前記使用状態とは異なる位置に配置される待機状態とに変更可能に前記尿受け部を支持する基部と、前記尿受け部の位置を変更するよう駆動する駆動部と、を有する。
【０００８】
前記駆動部は、対象者の荷重を受ける踏み板と、前記踏み板の受ける前記荷重を前記尿受け部に伝達する伝達部材とを有し、前記尿受け部は、前記踏み板から荷重の伝達を受けると位置が前記使用状態に変化してもよい。
【０００９】
前記駆動部は、前記荷重を用いて伸縮するシリンダを前記伝達部材として前記尿受け部を駆動してもよい。
【００１０】
前記尿受け部は、前後方向に延在する長穴が側面に形成され、前記シリンダの先端が、伸縮開始時に前記長穴を移動することにより、前記荷重を受けたタイミングから遅延して位置が変化してもよい。
【００１１】
上記いずれかの尿受け具において、前記基部は、前記便器の左右方向の軸周りに回動して位置が変化するよう前記尿受け部を軸支するとともに、回動速度を制御する速度制御機構を有してもよい。
【００１２】
上記いずれかの尿受け具において、前記尿受け部は、前記使用状態において小便器のリップ部又は洋式便器の便鉢縁に隣り合う位置に配置されてもよい。
【００１３】
上記いずれかの尿受け具において、前記基部は、洋式便器の便鉢縁に係止して設置されるか、又は便器近傍の床面に設置されてもよい。
【００１４】
前記駆動部は、洋式便器の蓋の開閉による駆動力を前記尿受け部に伝達し、前記尿受け部は、前記駆動力により前記待機状態から前記使用状態へと変化してもよい。
【００１５】
前記尿受け具において、センサーを用いて対象者を検知する検知部を有し、前記駆動部は、前記検知部が前記対象者を検知すると、モーターを用いて前記尿受け部を回動させて位置を前記使用状態に変化させてもよい。
【発明の効果】
【００１６】
本発明によれば、簡便に尿による床汚れを防止することができる。
【図面の簡単な説明】
【００１７】
【図１】第１の実施形態における尿受け具の外観の一例を示す図である。図１（Ａ）は、第１の実施形態における尿受け具の右側面図の一例を示す。図１（Ｂ）は、第１の実施形態における尿受け具の正面図の一例を示す。
【図２】第１の実施形態における尿受け具の使用状態及び待機状態を説明するための図である。図２（Ａ）は、待機状態における尿受け具の右側面図の一例を示し、図２（Ｂ）は、使用状態における尿受け具の右側面図の一例を示す。
【図３】第１の実施形態の第１の変形例における尿受け具の使用状態及び待機状態を説明するための図である。図３（Ａ）は、待機状態における尿受け具の右側面図の一例を示し、図３（Ｂ）は、使用状態における尿受け具の右側面図の一例を示す。
【図４】第１の実施形態の第２の変形例における尿受け具の使用状態及び待機状態を説明するための図である。図４（Ａ）は、待機状態における尿受け具の右側面図の一例を示し、図４（Ｂ）は、使用状態における尿受け具の右側面図の一例を示し、図４（Ｃ）は待機状態における尿受け部の右側面の拡大図である
【図５】第２の実施形態における尿受け具の使用状態及び待機状態を説明するための図である。図５（Ａ）は、待機状態における尿受け具の右側面図の一例を示し、図５（Ｂ）は、使用状態における尿受け具の右側面図の一例を示す。
【図６】第３の実施形態における尿受け具の右側面図の一例を示す。
【図７】第４の実施形態における尿受け具の外観の一例を示す図である。
【図８】第４の実施形態の変形例における尿受け具の右側面図の一例を示す。
【図９】第５の実施形態における尿受け具の使用状態及び待機状態を説明するための図である。図９（Ａ）は、待機状態における尿受け具の右側面図の一例を示し、図９（Ｂ）は、使用状態における尿受け具の右側面図の一例を示す。
【図１０】第６の実施形態における尿受け具の右側面図の一例を示す。
【発明を実施するための形態】
【００１８】
以下、図面に基づいて本発明の実施の形態を説明する。
【００１９】
＜第１の実施形態＞
【００２０】
図１は、第１の実施形態における尿受け具１の外観の一例を示す図である。図１（Ａ）は、第１の実施形態における尿受け具１の右側面図の一例を示す。図１（Ｂ）は、第１の実施形態における尿受け具１の正面図の一例を示す。
【００２１】
本実施形態における尿受け具１は、対象者が便器を使用する際の使用状態と、使用状態以外の待機状態とで尿を受ける部分の位置が変化する。図１（Ａ）及び図１（Ｂ）に示す尿受け具１は、いずれも使用状態における尿受け具１である。また、図１（Ａ）及び図１（Ｂ）には、尿受け具１以外に便器ｔを図示しており、対象者の図示は省略している。
【００２２】
尿受け具１は、尿受け部１０と、基部２０と、駆動部３０とを有する。尿受け部１０は、使用状態において上方が開口している有底形状の部材である。尿受け部１０は、便器正面側（図１（Ａ）におけるｚ方向）に張り出した位置に配置される。尿受け部１０は、飛散した尿や、勢いを失って下方向に垂れる尿を、上方の開口部分から受ける。なお、図１（Ａ）に示す尿受け部１０は、内壁部分を点線で表示している。
【００２３】
一例として、尿受け部１０は、使用状態において、奥側（図１（Ａ）における−ｚ側）の側面の少なくとも一部が開口している。また例えば、尿受け部１０は、図１（Ａ）に示すように、使用状態において手前側（図１（Ａ）におけるｚ方向）の一部が上側から下側に向かうにつれて傾斜し、受けた尿を尿受け部１０の底方向に導いてもよい。
【００２４】
なお、図１に記載する便器ｔは床置き型の男性用小便器であるが、便器の形状はこれに限られず、例えば壁掛け型の男性用小便器であってもよいし、洋式便器であってもよいし、便鉢縁が床面より高くなるよう設置される段差式の和式便器であってもよい。尿受け具１を男性用小便器に設置する際には、使用状態において尿受け部１０が小便器のリップ部（タレ受け部ともいう）の正面方向（手前方向）に隣り合う位置に配置される。
【００２５】
基部２０は、使用状態と待機状態とに変更可能に尿受け部１０を支持する。本実施形態において、基部２０は、便器近傍の床面に設置され、回転軸２１と、側板２２とを有する。回転軸２１は、便器ｔの左右方向（ｘ−ｘ方向）に延伸する軸である。本実施形態において、基部２０は、回転軸２１の軸周りに回動して位置が変化するよう尿受け部１０を軸支する。
【００２６】
なお、一例として、回転軸２１は、後述する一対の側板２２に各々独立して設けられる。また、回転軸２１は、尿受け部１０の回転角度を制限していてもよく、尿受け部１０が使用状態を越えて回動すること、及び待機状態を超えて回動することを防いでもよい。
【００２７】
回転軸２１は、回動速度を制御する速度制御機構を有していてもよい。一例として、速度制御機構には、ロータリーダンパーが用いられる。
【００２８】
側板２２は、便器の左右方向に位置する一対の部材であって、各々に回転軸２１が設けられる。側板２２を構成する一対の部材は、床に置くことができる。図１（Ａ）及び図１（Ｂ）における尿受け具１は、左右各々１枚ずつの板状の側板２２を有しているが、側板２２の形状はこれに限られず、例えば回転軸２１を有する筋状の部材であってもよい。
【００２９】
駆動部３０は、尿受け部１０の位置を変更するよう駆動する。駆動部３０は、踏み板３１と、弾性部材３２と、伝達部材３３とを有する。踏み板３１は、対象者からの荷重を受ける部材である。尿受け部１０は、踏み板３１からの荷重の伝達を受けると位置が使用状態に変化する。弾性部材３２は、踏み板３１の下部に設けられ、尿受け部１０が待機状態になるように踏み板３１を付勢する。例えば、尿受け具１の弾性部材３２は、踏み板３１を上方向に付勢する。
【００３０】
伝達部材３３は、踏み板３１の受ける荷重を尿受け部１０に伝達する部材である。本実施形態において、伝達部材３３は踏み板３１と尿受け部１０とを連結するロッドである。図１（Ｂ）において、尿受け具１は左右一対の伝達部材３３を有し、伝達部材３３は各々尿受け部１０を狭持する位置に設けられる。同図に示す伝達部材３３は、各々その一端が尿受け部１０に連結し、他端が踏み板３１の奥側の一端に連結している。しかしながら、伝達部材３３の数及び設置位置はこれに限定されない。例えば、ロッドの端部は、尿受け部１０、踏み板３１、又は他のロッドに回動可能に連結されていてもよい。
【００３１】
図２は、第１の実施形態における尿受け具１の使用状態及び待機状態を説明するための図である。図２（Ａ）は、待機状態における尿受け具１の右側面図の一例を示し、図２（Ｂ）は、使用状態における尿受け具１の右側面図の一例を示す。図２（Ａ）及び図２（Ｂ）では、説明のため側板２２を点線で示している。また、図２（Ａ）に示す尿受け部１０は、内壁部分を点線で表示している。また、図２（Ｂ）において、対象者の図示を省略している。
【００３２】
図２（Ａ）に示す待機状態では、対象者がいないため踏み板３１は未だ踏まれていない。待機状態において、尿受け部１０は使用状態とは異なる位置に配置される。尿受け部１０は奥側の側面の少なくとも一部が下方向に開口し、尿受け部１０内部の尿が便鉢内部へと流れ込むよう構成される。
【００３３】
図２（Ｂ）において、踏み板３１が対象者の荷重を受けると（矢印ａ方向に荷重）、伝達部材３３が荷重を尿受け部１０に伝達する。より具体的には、踏み板３１が対象者の荷重を受けることにより、尿受け部１０の伝達部材３３との連結部分が下方向に牽引される。これにより、尿受け部１０が図２に示す反時計回り（矢印ｂ方向）に回動する。その結果、尿受け部１０の手前側の一端が下がり、尿受け部１０が尿を受ける位置、即ち使用状態の位置に配置される。
【００３４】
なお、回転軸２１が速度制御機構を有する場合、尿受け部１０の回動速度が制御される。これにより、例えば回転軸２１の回転角度の限界に達する際、尿受け部１０が減速して停止する。従って、尿受け部１０が急に回動を停止することによる衝撃音の発生や、尿受け部１０が跳ね返って待機状態方向へと回動することを防止することができる。
【００３５】
対象者が排尿を終え、踏み板３１から降りると、弾性部材３２の付勢により踏み板３１が上方向に移動する。踏み板３１の移動に伴って尿受け部１０の伝達部材３３との連結部分が上方向に移動する。これにより、尿受け部１０が図２に示す時計回りに回動し、尿受け部１０の手前側の一端が上がる。即ち、尿受け部１０の受けた尿が便鉢内部に流れ込む。
【００３６】
なお、図２（Ｂ）に示すように、使用状態において、尿受け部１０の底面は便鉢内部に向けて傾斜していてもよい。この場合、使用状態であっても尿受け部１０の受けた尿は傾斜により便鉢へと導かれる。なお、本実施形態において、待機状態で尿受け部１０の内部の尿が便鉢に流れ込むよう構成されているため、使用状態において尿受け部１０の底面が便鉢内部に傾斜していなくてもよい。
【００３７】
また、本実施形態において、尿受け部１０の奥側の側面は開口していなくてもよい。その場合、管理者が尿受け部１０を基部２０から取り外し、内部の尿を廃棄してもよい。尿受け部１０は、内部に消臭剤や凝固剤、又は芳香剤等を有していてもよい。これにより、尿受け部１０の内部の尿の廃棄や掃除が容易になる。また、尿受け部１０を基部から取り外し、他の尿受け部１０と交換してもよい。
【００３８】
付言すれば、尿受け部１０の内側又は外側に、広告を掲載してもよい。尿受け部１０を交換可能に構成すれば、契約期間が途過した広告が付された尿受け部１０を回収し、新たに契約された広告を付した尿受け部１０を設置することができる。
【００３９】
本実施形態により、便器の設置位置よりも尿受け部１０が正面方向に張り出して配置されるため、尿受け部１０が飛散する尿や垂れる尿を受けることとなり、便器周辺の床を汚すことを防ぐことができる。また、対象者は排尿の際、日常的に便器から一定距離を保って立つが、尿受け部１０は対象者が踏み板３１を踏んでから移動するため、尿受け部１０と対象者との距離はより短くなる。このため、より効率的に尿を受けることができる。
【００４０】
また、尿受け部１０の位置を変更させるために電気を必要としないため、環境負荷を抑制し、電池交換等の保守作業も省力化できる。
【００４１】
なお、基部２０による尿受け部１０の支持方法、駆動部３０による尿受け部１０の駆動方法、及び尿受け部１０の移動方向は、図１及び図２に示す例に限定されない。踏み板３１が対象者の荷重を受けると、尿受け部１０の位置が待機状態から使用状態に変更するものであればよい。なお、尿受け部１０の位置が変更するということは、尿受け部１０の所在場所が変更することのほか、尿受け部１０が姿勢を変更することも含む。
【００４２】
例えば、基部２０又は尿受け部１０のどちらか一方に、前後方向に延在する溝を設け、他方に溝と勘合する部材を設けることにより、基部２０が尿受け部１０を支持してもよい。その場合、待機状態において、尿受け部１０は使用状態よりも前方又は後方に位置するよう構成する。踏み板３１に荷重がかかると、尿受け部１０が前方向又は後方向にスライドし、小便器のリップ部に隣り合う位置に移動する。即ち、スライド移動により、尿受け部１０の位置が待機状態から使用状態へと変化する。
【００４３】
付言すれば、尿受け部１０が図示しないハンドルを有し、対象者がハンドルを操作して、排尿時に尿受け部１０を待機状態から使用状態に移動させ、排尿後に使用状態から待機状態に移動させるものであってもよい。
【００４４】
＜第１の実施形態の第１の変形例＞
【００４５】
図３は、第１の実施形態の第１の変形例における尿受け具１の使用状態及び待機状態を説明するための図である。図３（Ａ）は、待機状態における尿受け具１の右側面図の一例を示し、図３（Ｂ）は、使用状態における尿受け具１の右側面図の一例を示す。図３（Ａ）に示す尿受け部１０は、内壁部分を点線で表示している。以下、上述の実施形態と異なる点について説明する。
【００４６】
本変形例では、使用状態から待機状態へと位置が変更する際の尿受け具１の回転方向が、上述の実施形態と異なる。具体的には、図３（Ａ）に示す待機状態の尿受け具１は、尿受け部１０の手前側の一端が使用状態の場合よりも下方に位置する。
【００４７】
図３（Ｂ）において、踏み板３１が対象者の荷重を受けると（矢印ａ方向に荷重）、尿受け部１０の伝達部材３３との連結部分が下方に牽引されることにより、尿受け部１０が図３に示す時計回り（矢印ｂ方向）に回動する。その結果、尿受け部１０の手前側の一端が上がり、使用状態の位置に配置される。
【００４８】
対象者が排尿を終え、踏み板３１から降りると、弾性部材３２の付勢により踏み板３１が上方向に移動する。踏み板３１の移動に伴って尿受け部１０の伝達部材３３との連結部分が上方向に移動する。これにより、尿受け部１０が図３に示す反時計回りに回動し、尿受け部１０の手前側の一端が下がる。即ち、尿受け部１０の位置が待機状態に戻る。
【００４９】
なお、本変形例においても、図３（Ｂ）に示すように、使用状態において、尿受け部１０の底面が便鉢内部に向けて傾斜していてもよい。これにより、使用状態において尿受け部１０の受けた尿は傾斜により便鉢へと導かれる。付言すれば、本変形例における尿受け部１０は奥側の側面が開口しておらず、管理者が尿受け部１０を基部２０から取り外し、内部の尿を廃棄してもよい。
【００５０】
＜第１の実施形態の第２の変形例＞
【００５１】
図４は、第１の実施形態の第２の変形例における尿受け具１の使用状態及び待機状態を説明するための図である。図４（Ａ）は、待機状態における尿受け具１の右側面図の一例を示し、図４（Ｂ）は、使用状態における尿受け具１の右側面図の一例を示し、図４（Ｃ）は待機状態における尿受け部１０の右側面の拡大図である。図４（Ａ）及び図４（Ｃ）に示す尿受け部１０は、内壁部分を点線で表示している。以下、上述の実施形態と異なる点について説明する。
【００５２】
本変形例における尿受け部１０は、孔１１を有する。また、本変形例における尿受け具１は、尿ポット４１を有する。尿ポット４１は、例えば一部が側板２２に連結している。なお、尿ポット４１は側板２２から独立し、床に載置されていてもよい。
【００５３】
図４に示す踏み板３１は、軸２３を中心に揺動可能であって、待機状態において、弾性部材３２は踏み板３１の手前側の端部を上方向に付勢する。対象者が踏み板の手前側に体重をかけると、踏み板３１は軸２３を中心に回動し、踏み板３１の奥側の端部が上方向に移動し、使用状態となる。
【００５４】
尿受け部１０は、図４（Ｂ）に示す使用状態において、上端が便器ｔの便鉢縁と略同じ高さに位置するよう構成される。尿受け部１０は、手前側の一部が上側から下側に向かうにつれて傾斜し、受けた尿を尿受け部１０の底方向に導く。底方向に導かれた尿は、尿受け部１０の底に溜まる。
【００５５】
対象者が踏み板３１から降りると、伝達部材３３が尿受け部１０の一端を下方向に牽引することにより、尿受け部１０が回動し、手前側の一端が下方向に移動する。即ち、尿受け具１は図４（Ａ）に示す待機状態となる。
【００５６】
図４（Ｃ）によると、尿受け部１０は、待機状態において底となる部分の一部に孔１１が位置するよう構成される。使用状態で尿受け部１０の底に溜まった尿は、待機状態で孔１１から排出され、尿ポット４１内に落ちる。管理者が尿ポット４１内の尿を廃棄することにより、簡便に尿受け具１の保守を行うことができる。なお、尿ポット４１内部には、尿により固化する凝固剤や消臭剤、又は芳香剤を設置してもよい。
【００５７】
本変形例において、孔１１は尿受け部１０の傾斜部分に設けられる。孔１１は、使用状態において、尿受け部１０の底から遠い位置であって、傾斜角度が急である位置、即ち傾斜角度が垂直に近い部分の位置に設けられることが望ましい。
【００５８】
なお、本変形例において、尿受け部１０は孔１１を有さなくてもよい。その場合、使用状態において尿受け部１０の底に溜まった尿が、待機状態に尿受け部１０の縁から尿ポット４１に落ちるよう構成する。また、本変形例においても、尿受け部１０を基部２０から取り外して交換してもよいし、尿受け部１０に広告を掲載してもよい。
【００５９】
＜第２の実施形態＞
【００６０】
図５は、第２の実施形態における尿受け具１の使用状態及び待機状態を説明するための図である。図５（Ａ）は、待機状態における尿受け具１の右側面図の一例を示し、図５（Ｂ）は、使用状態における尿受け具１の右側面図の一例を示す。図５（Ａ）に示す尿受け部１０は、内壁部分を点線で表示している。以下、第１の実施形態と異なる点について説明する。
【００６１】
本変形例における尿受け具１は、尿受け部１０に前後方向に延在する長穴１２が側面に少なくとも１つ形成される。また、本変形例では、伝達部材にシリンダ３５が用いられ、シリンダ３５はペダル３４と接続している。ペダル３４は図示しないポンプを内蔵しており、シリンダに対して加圧又は吸引する。
【００６２】
シリンダ３５は、ポンプからの加圧又は吸引によりピストン部分を伸縮させる。ピストン部分の先端は、尿受け部１０の長穴１２に嵌まり、長穴１２に沿って移動が可能である。一例として、シリンダ３５はポンプからの加圧又は吸引を受けてピストン部分を伸縮させるエアシリンダ、又はオイルシリンダである。
【００６３】
例えば、シリンダ３５は少なくとも一部が側板２２に固定される。本実施形態におけるシリンダ３５は、軸の先端に支点３６を有し、支点３６を中心に回動が可能である。
【００６４】
図５（Ａ）の待機状態において、尿受け部１０の手前側の一端は上方向を向いている。本実施形態における待機状態のシリンダ３５は、ピストンが縮んでおり、ピストンの先端は長穴１２の奥側の一端付近に位置している。なお、図５（Ａ）に示す尿受け部１０は、奥側の少なくとも一部が開口し、待機状態において内部の尿が尿ポット４１に流れ込む。
【００６５】
対象者がペダル３４を踏むと、ポンプがシリンダ３５に対して加圧し、シリンダ３５のピストンが伸び始める。ピストンの先端が長穴１２の手前側の一端に到達するまで、尿受け部１０は移動しないか、又は移動度合い（例えば移動角度や移動距離）が制限される。ピストンの先端が長穴１２の手前側の一端に到達すると、尿受け部１０は回転軸２１を中心に回動し、図５（Ｂ）に示す使用状態の位置に到達する。
【００６６】
排尿終了後、対象者がペダル３４から足を放すと、ポンプが吸引を開始する。ポンプの吸引により、シリンダ３５のピストンが縮み始める。ピストン部分の先端が、長穴１２の手前側の一端付近から、奥側の端に到達する。その間、尿受け部１０は移動しないか、又は移動度合いが制限される。ピストン部分の先端が、長穴１２の奥側の一端に到達すると、尿受け部１０は回転軸２１を中心に回動し、図５（Ａ）に示す待機状態の位置に到達する。
【００６７】
本実施形態により、伝達部材にシリンダ３５を用いた場合にも、尿受け部１０を適切に移動することができる。また、シリンダ３５の先端が、伸縮開始時に長穴を移動することにより、ペダル３４が荷重を受けたタイミングから遅延して尿受け部１０の位置が変化する。これにより、突然に尿受け部１０が動くことによる対象者へのストレスを軽減することができる。
【００６８】
なお、本実施形態におけるシリンダ３５は側板２２に設置され、尿受け部１０に設けられた長穴１２にピストンの先端が嵌まるよう構成されているが、シリンダ３５が尿受け部１０に設けられ、長穴１２が側板２２に設けられていてもよい。また、本実施形態では、尿受け部１０の位置が、ピストンが伸びると待機状態から使用状態に変化し、ピストンが縮むと使用状態から待機状態に変化したが、ピストンの伸縮と尿受け部１０の位置との関係が逆（即ち、ピストンが伸びると使用状態から待機状態に変化し、ピストンが縮むと待機状態から使用状態に変化）であってもよい。
【００６９】
また、本実施形態においても、回転軸２１に速度制御機構を有していてもよい。また、本実施形態における尿受け部１０は、図２又は図３に示す尿受け部１０と同様に、待機状態又は使用状態において内部の尿を便鉢内部に導く位置に配置されてもよい。その場合、尿受け具１は尿ポット４１を有していなくてもよい。
【００７０】
また、本実施形態において、長穴１２は必須ではない。また、長穴１２が軸周りに湾曲し、ピストンの先端が長穴１２に沿って移動することにより、尿受け部１０が軸周りに回動し、尿受け部１０の位置が使用状態と待機状態とに変化するよう構成されていてもよい。
【００７１】
＜第３の実施形態＞
【００７２】
図６は、第３の実施形態における尿受け具１の右側面図の一例を示す。以下、第１の実施形態及び第２の実施形態と異なる点について説明する。本実施形態における尿受け具１は、センサー４２を有する。また、本実施形態における駆動部３０は、踏み板３１やペダル３４、及び伝達部材３３を有さず、尿受け部１０を移動させる図示しないモーターを有する。
【００７３】
センサー４２は、対象者を検知する検知部として機能する。センサー４２には赤外線式、超音波式など、各種検知器を用いることができる。図６において、センサー４２は側板２２に設置されているが、センサー４２の設置位置は限定されない。センサー４２は、対象者を検知すると、モーターを駆動させる制御装置に通知する。
【００７４】
制御装置の制御によりモーターが駆動することにより、回転軸２１に設けられたギアが回転し、尿受け部１０が回動する。その結果、尿受け部１０の位置が待機状態から使用状態へと変化する。センサー４２が対象者の検知を終了すると、制御装置に通知することによりモーターが駆動し、尿受け部１０の位置が待機状態へと変化する。
【００７５】
なお、尿受け部１０の位置及び移動方向は、図６に示す例に限定されない。また、センサー４２が対象者を検知すると、制御装置はシリンダ３５を制御することにより、尿受け部１０の位置を変更してもよい。
【００７６】
本実施形態では、モーターの駆動力で尿受け部１０の位置が変更するため、より簡便に尿受け具１を設置することができる。
【００７７】
＜第４の実施形態＞
【００７８】
図７は、第４の実施形態における尿受け具１の外観の一例を示す図である。以下、上述の実施形態と異なる点について説明する。本図に示す尿受け具１は、使用状態の位置に尿受け部１０が配置されている。本図において、対象者、便座、及び便蓋の図示は省略している。本実施形態における尿受け具１の基部２０は、洋式便器の便鉢縁に係止して設置され、尿受け部１０を軸支している。
【００７９】
本実施形態における尿受け具１の基部２０は、側板２２に代わって係止部材２４を有する。係止部材２４は、その一部に回転軸２１が固定され、便鉢縁に係止する。尿受け部１０は、係止部材２４に軸支され、使用状態において便鉢縁に隣り合う位置に配置される。一例として、尿受け部１０は、上端が便鉢縁と略同じ高さになるよう構成される。
【００８０】
踏み板３１が荷重を受けると、伝達部材３３の伝達により尿受け部１０が回転軸２１の軸周りに回動し、位置が待機状態から使用状態に変化する。なお、本実施形態における伝達部材３３には、シリンダ３５を用いてもよい。また、本実施形態では、管理者が尿受け部１０を基部２０から取り外して内部の尿を廃棄してもよいし、尿受け部１０が回動して内部の尿を便鉢内部に流し込むよう構成されていてもよい。なお、本実施形態では、待機状態において、便座に座って用を足すこともできる。
【００８１】
＜第４の実施形態の変形例＞
【００８２】
図８は、第４の実施形態の変形例における尿受け具１の右側面図の一例を示す。図８に示す尿受け部１０は、内壁部分を点線で表示している。以下、上述の実施形態と異なる点について説明する。本変形例における尿受け具１は、基部２０が便鉢縁に係止せず、便器近傍の床面に設置される。本実施形態における尿受け部１０は、図４に示す第１の実施形態の第２の変形例の尿受け具１と同様に、側板２２に軸支される。また、尿受け部１０は孔１１を有し、待機状態において内部の尿が尿ポット４１に流れ込むよう構成される。
【００８３】
＜第５の実施形態＞
【００８４】
図９は、第５の実施形態における尿受け具１の使用状態及び待機状態を説明するための図である。図９（Ａ）は、待機状態における尿受け具１の右側面図の一例を示し、図９（Ｂ）は、使用状態における尿受け具１の右側面図の一例を示す。図９（Ａ）に示す尿受け部１０は、内壁部分を点線で表示している。本実施形態における尿受け具１は、洋式便器に対して設置される。以下、上述の実施形態と異なる点について説明する。
【００８５】
本実施形態における係止部材２４は、伝達部材としてシリンダ３５を有する。本実施形態におけるシリンダ３５は、管３７を介してポンプ３８と接続している。ポンプ３８は、駆動部３０として機能し、便蓋ｆと接続している。ポンプ３８は、便蓋ｆを開ける力、及び閉じる力を駆動力として、シリンダ３５に対し加圧又は吸引する。
【００８６】
一例として、シリンダ３５は便蓋ｆの開閉による加圧及び吸引を受けてシリンダ３５を伸縮させるエアシリンダ又はオイルシリンダであって、ポンプ３８は、便蓋ｆの開閉によりシリンダ３５に加圧又は吸引する。即ち、シリンダ３５は洋式便器の便蓋ｆの開閉による駆動力を尿受け部１０に伝達する。シリンダ３５の少なくとも一部は係止部材２４に固定される。シリンダ３５は、軸の先端に支点３６を有し、支点３６を中心に回動が可能であってもよい。
【００８７】
図９（Ａ）の待機状態において、尿受け部１０の手前側の一端は下方向を向いている。本実施形態における待機状態のシリンダ３５は、ピストンが縮んでいる。ピストンの先端は、尿受け部１０の外側面に前後方向に延在するよう設けられた溝（図示せず）に嵌まっていてもよい。
【００８８】
対象者が便蓋ｆを持ち上げると（矢印ａの方向に圧力）、持ち上げた際の圧力により、ポンプ３８がシリンダ３５に加圧し、シリンダ３５のピストンが伸びる。ピストンの先端が尿受け部１０を持ち上げることにより、尿受け部１０は回転軸２１を中心に図９に示す時計回り（矢印ｂ方向）に回動し、図９（Ｂ）に示す使用状態の位置に到達する。排尿終了後、対象者が便蓋ｆを下げると、ポンプ３８の吸引によりシリンダ３５のピストンが縮み、尿受け部１０は待機状態に位置を変更する。
【００８９】
本実施形態によれば、便蓋ｆの開閉が尿受け部１０の駆動に用いられるため、踏み板３１を必要としない。即ち、便器ｔの設置スペースに制限がある場合等に特に有用である。なお、本実施形態においても、尿受け部１０は係止部材２４に代わって側板２２に軸支されていてもよい。その場合、シリンダ３５は側板２２に固定されていてもよい。
【００９０】
＜第６の実施形態＞
【００９１】
図１０は、第６の実施形態における尿受け具１の右側面図の一例を示す。以下、上述の実施形態と異なる点について説明する。本実施形態における尿受け具１は、洋式便器に対して設置される。本実施形態における尿受け具１は、図６に示す第３の実施形態の尿受け具１と同様に、図示しないセンサーを有する。また、本実施形態における駆動部３０は、踏み板３１やペダル３４、及び伝達部材３３を有さず、尿受け部１０を移動させる図示しないモーターを有する。センサー及び駆動部３０の構成は、第３の実施形態と同様である。
【００９２】
また、本実施形態における尿受け部１０は、便鉢縁に係止する基部２０と接続する係止部材２４により軸支される。なお、本実施形態におけるモーターは係止部材２４に固定されていてもよい。センサーが対象者を検知すると、モーターが駆動して尿受け部１０の位置が変化する点についても、第３の実施形態と同様である。
【００９３】
本実施形態によれば、尿受け具１を洋式便器に用いる場合においても、モーターの駆動力で尿受け部１０の位置を変更することができる。従って、より簡便に尿受け具１を設置することができる。
【００９４】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。
【符号の説明】
【００９５】
１：尿受け具、１０：尿受け部、１１：孔、１２：長穴、２０：基部、２１：回転軸、２２：側板、２４：係止部材、３０：駆動部、３１：踏み板、３２：弾性部材、３３：伝達部材、３４：ペダル、３５：シリンダ、３６：支点、３７：管、３８：ポンプ、４１：尿ポット、４２：センサー、ａ・ｂ：矢印、ｆ：便蓋、ｔ：便器
【図１】
2020169495.tif 000003
【図２】
2020169495.tif 000004
【図３】
2020169495.tif 000005
【図４】
2020169495.tif 000006
【図５】
2020169495.tif 000007
【図６】
2020169495.tif 000008
【図７】
2020169495.tif 000009
【図８】
2020169495.tif 000010
【図９】
2020169495.tif 000011
【図１０】
2020169495.tif 000012